(57)【要約】【課題】口部の円弧凸面とナット切面間に柔性の押さえ効果を備えてナット切面の損壊を防止し、且つナットが回転過程で滑る現象を防止するハンドツールを提供することである。【解決手段】口部構造を改良したハンドツールは、その口部の内縁に円弧状の突出した複数の円弧凸面を設け、該口部の外縁となる収容凹部の底角は円弧状案内角にし、複数の円弧凸面のうち、各二個の円弧凸面をナットの一切面に対応させることで、ナット切面との押さえ面積が増え、ナット回転時の滑り現象を防止し、同時に円形状の円弧凸面によって、ナット切面を押さえた時の切面損壊を防止する。更に、収容凹部の底角を円弧案内角とし、口部の回転応力を分散し、それらによって産業利用価値が高まる。【選択図】図２
0003155322.tif 000002
【実用新案登録請求の範囲】
【請求項１】
主に本体及びラチェット部品を含む口部構造を改良したハンドツールにおいて、
前記本体は、ハンドルを備え、該ハンドルは少なくとも一端に頭部を配設し、該頭部の底縁には掛合部を配設し、該掛合部上には止め輪を配設し、それは掛合部上に外せるように固定し、頭部には収容部を配設し、該収容部内には前記ラチェット部品を収容し、且つ頭部とハンドルの間には穿孔を配設し、該穿孔内に停止部品を配設するもので、
前記ラチェット部品は、その外縁に停止部品と相互に噛み合う歯部を形成し、また内縁は六角ナットに対応する口部を形成し、該口部は十二個が間隔を設けて外側に突出した収容凹部、及び十二個が間隔を設けて内向きに凹んだ円弧凸面が環設されて構成し、各二個の円弧凸面が六角ナットの一切面と対応し、前記収容凹部の外縁角は円弧状の案内角で、更に前記円弧凸面は円弧状で、且つ該円弧凸面高さと幅の比率例は１対１.６とすることを特徴とする口部構造を改良したハンドツール。
【請求項２】
前記口部構造を改良したハンドツールは、更にソケットレンチを含み、そのソケットの上端には嵌合部を配設し、該嵌合部に穿孔を貫設し、また該嵌合部の外縁には前記ラチェット部品の前記口部に対応する凹口及び凸面を形成し、また前記ソケットレンチの下端にはカバー部を配設し、該カバー部は十二個が間隔を設けて外側に突出した収容凹部、及び十二個が間隔を設けて内向きに凹んだ円弧凸面が環設されて構成し、各二個の円弧凸面は六角ナットの一切面に対応し、前記収容凹部の外縁角は円弧状の案内角で、更に前記円弧凸面は円弧状で、且つ該円弧凸面高さと幅の比率例は１対１.６であることを特徴とする請求項１に記載の口部構造を改良したハンドツール。
【請求項３】
前記口部構造を改良したハンドツールは、更にソケットレンチを含み、そのソケットの上端には嵌合部を配設し、該嵌合部に穿孔を貫設し、また該嵌合部の外縁には前記ラチェット部品の前記口部に対応する凹口及び凸面を形成し、また前記ソケットレンチの下端には六角形の回転部を形成することを特徴とする請求項１記載の口部構造を改良したハンドツール。
【請求項４】
前記口部構造を改良したハンドツールは、更にソケットレンチを含み、その一端にヘッドレンチを嵌める穿孔を配設し、別一端の内縁にはカバー部を配設し、該カバー部は、十二個が間隔を設けて外側に突出した収容凹部、及び十二個が間隔を設けて内向きに凹んだ円弧凸面が環設して構成し、各二個の円弧凸面が六角ナットの一切面に対応し、前記収容凹部の外縁角は円弧状の案内角で、更に前記円弧凸面は円弧状で、且つ該円弧凸面高さと幅の比率例は１対１.６であることを特徴とする請求項１記載の口部構造を改良したハンドツール。
【考案の詳細な説明】
【技術分野】
【０００１】
本考案は、ハンドツールに係り、特にナット等のネジ部品を止める、口部構造を改良したハンドツールに関する。
【背景技術】
【０００２】
ハンドツールを使ってナットを止めるのは一般的に普及した技術であり、その発展は既に相当成熟しており、発展性の限られた産業と言える。それ故、一般にハンドツールは、構造、材質の改善はユーザーの使用時の必要に応じて行われる。しかしながら、ハンドツールの中でもレンチ工具類の使用範囲が最も広く、レンチの口部の設計の優劣はネジ類を簡単に締められるか否か、ネジが滑らないか否かに大きく関係している。
【０００３】
図９は、公知の口部の構造設計を示しており、この種のレンチ口部は、間隔をあけて環状に配置された複数の収容凹部２３ａ及び円弧凸面２４ａから構成される。一般に、口部の収容凹部には、ナット４０ａの多角形(例えば六角形)の角(以降、切れ角)４２ａが収容されてナットをまわす時比較的弱い切れ角が損壊する欠点を防止する。また、円弧凸面の機能は、主にナットの切面４１ａを押さえる効果を備える。しかしながら、この種の公知のレンチの中空口の外縁角２５ａはほぼ直角に形成されているため、その構造上、回転応力が集中しやすい欠点を備え、そのため実用性に欠ける。更にこのような直角の配置は、それを製造する時の困難な点にもなり、製銑もしくは鋳造に関わらず、成形しにくい。
【０００４】
また、この種の公知レンチの円弧凸面の長さと幅の比率は約１:２である。このことからこの種公知レンチの円弧凸面の深さは収容凹部の隙間の長さの１/２であることが簡単にわかる。更に深さが比較的浅い円弧凸面とナット切面の押さえ面積がかなり小さく、そのため、ナットを動かす時にナットが滑る欠点がある。  
先行技術として、例えば特許文献１の図８及び図９に示されているように、保持枠２，３内の収納部に収容されるソケット５，６の内周部にナットＮを収容するための嵌合部５ｃ，６ｃが配設されている。この嵌合部５ｃ，６ｃは側面から見た形状が複数(１２個)の三角波が並んだ枠形状となっていて、その内部の収容空間に六角ナットが配置されることにより、三角波形の凹んだ部分に六角ナットの６つの角が入って係合する構造となっている。  
しかしながら、特許文献１のラチェットレンチの口部構造では、作業者がハンドル(取手)２ｂを操作してナットＮを締める操作をしたときに、ナットの切面が嵌合部５ｃ，６ｃの三角波形状の角に強く押し付けられてナットの切面を傷つけたり三角波状の嵌合部を損傷する虞がある。
【先行技術文献】
【特許文献】
【０００５】
【特許文献１】特開２００８−２１３０７６号(図８及び図９)
【考案の概要】
【考案が解決しようとする課題】
【０００６】
本考案が、解決しようとする問題点は、公知のレンチの中空口の外縁角はほぼ直角に形成されているため、その構造上、回転応力が集中しやすい点と、ナットを回転する時にナットが滑りやすい点である。
【課題を解決するための手段】
【０００７】
本考案は、主にナットを嵌める口部を内縁の複数円弧凸面を突出した円弧状にして，収容凹部の底角は円弧案内角にする。円弧凸面によって、ナット切面との押さえ面積が増え、ナットを回転した時に発生しやすい滑り現象を防止し、同時に円形状の円弧凸面によって、ナットの切面を押さえた時に、切面が損壊するのを防止する。更に、収容凹部の底角が円弧案内角であるため、口部の回転応力を分散し、それらによって産業利用価値が高まることを最も主要な特徴とする。
【考案の効果】
【０００８】
本考案の口部構造を改良したハンドツールは、口部の円弧凸面とナット切面が相互に当たった時、柔性の押さえ効果を備え、またナット切面構造が壊れるのを防止し、且つナットの切面を完全に押さえ、ナットが回転過程で滑ってしまう現象を防止するという利点がある。
【図面の簡単な説明】
【０００９】
【図１】本考案の第一実施例の分解斜視図である。
【図２】図１を組み立てた状態の外観を示す斜視図である。
【図３】図２の組み立て体の口部にナットを嵌合した状態を示す横断面図である。
【図４】図３における口部の一部を拡大した拡大図である。
【図５】本考案の第二実施例の外観を示す斜視図である。
【図６】図５におけるソケットレンチと第一実施例に示した本体とを嵌合しソケットレンチのカバー部にナットを嵌合する状態を示す斜視図である。
【図７】図５の第二実施例の変形例の外観を示す斜視図である。
【図８】本考案の第三の実施例の外観を示す斜視図である。
【図９】公知の口部構造を有したハンドツールの平面図である。
【考案を実施するための形態】
【００１０】
本考案は、上述の公知技術の問題点を改善するため、口部構造を改良したハンドツールを創造し、産業利用性を高めることが可能なハンドツールを提供することを目的とする。
【００１１】
上述の目的を達成するため、本考案の口部構造を改良したハンドツールは，以下に述べる構成を含む。
【００１２】
本体は、ハンドルを備え、該ハンドルは、少なくとも一端に頭部を配設し、該頭部の底縁には掛合部を配設する。更に該掛合部上には止め輪を配設し、それは掛合部上で取り外せるように固定する。また頭部には収容部を穿設し、該収容部内にラチェット部品を収容し、且つ頭部とハンドル間には穿孔を配設し、該穿孔内に停止部品を配設する。
【００１３】
ラチェット部品は、外縁に停止部品と相互に噛み合う歯部を成形し、内縁には六角ナットに対応する口部を成形する。該口部は十二個が間隔を設けて外側に突出した収容凹部、及び十二個が間隔を設けて内向きに凹んだ円弧凸面が環設されて構成し、各二個の円弧凸面が六角ナットの一切面に対応し、収容凹部の外縁角は円弧状案内角で、更に円弧凸面は円弧状で、更に該円弧凸面高さと幅の比率例は、１対１.６である。
【００１４】
そのうち、本考案の主な特徴として、口部の円弧凸面とナット切面が相互に当たった時、柔性の押さえ効果を備え、またナット切面構造が壊れるのを防止し、且つナットの切面を完全に押さえ、ナットが回転過程で滑ってしまう現象を防止する。また、本考案はナットを回転させる時の応力を十分に分散させる効果も備える。また特に収容凹部の外縁角を円弧案内角にすることにより、回転力が過大に働いて口部が損壊するのを防止する効果も備える。
【実施例】
【００１５】
本考案の特徴、内容と長所及びその効果を説明するため、本考案を図面と共に実施例を挙げて以下のように説明する。そのうち、使用する図面はその趣旨を示す及び説明する補助とするものであって、本考案の実施後のものとは必ずしも寸法が比例したものではなくかつ正確な配置ではない。故に図面上の比例と配置関係は、本考案の実際に実施される請求範囲のものに対応しないことも附記しておく。
【００１６】
本考案は、主に一種の口部構造を改良したハンドツールに関するもので、本明細書内のハンドツール特定形態に限定されるものではない。一例として示すラチェットレンチは、実施例で説明しているが、実際に応用する場合、実際の使用には適する配置が必要であり、異なる形態のハンドツール上で応用することができる。
【００１７】
図１から図４に示すとおり、口部構造を改良したハンドツールの良好な実施態様は、本体１０及びラチェット部品２０を含む。
【００１８】
前述の本体１０は、ハンドル１２を備え、該ハンドル１２は少なくとも一端に一頭部１４を配設する。該頭部１４の底縁には掛合部１５を配設し、該掛合部１５上には外すことができる止め輪１７を配設する。これは、掛合方式によって、掛合部１５上に掛合するもので、また頭部１４には収容部１６が形成され、該収容部１６内にラチェット部品２０が収容される。更に頭部１４とハンドル１２間には穿孔１８が穿設され、該穿孔１８は収容部１６に連通し、該穿孔１８の内壁もしくは追加配設されたネジ孔には更に停止部品３０を配設し、それは停止部材３１、バネ３２及びネジ固定部品３３を含み、且つ、そのうちの停止部材３１部分は収容部１６へ延びる。
【００１９】
前述のラチェット部品２０は、外縁に停止部品３０と相互に噛み合う歯部２１を成形し、内縁にはナットを嵌合する口部２２を形成する。該口部２２は、複数個の間隔をあけて環設された外側向きに突出した収容凹部２３及び複数個の間隔をあけて環設された内側向きに凹んだ円弧凸面２４から構成される。そのうち収容凹部２３の外縁角２５は円弧形状の案内角で、この円弧状になった外縁角２５の外型によって口部２２の製銑もしくは鋳造工程が簡易になり、同時に外縁角２５の円弧設計が口部２２の回転に際して応力が有効に分散され、回転時に過大な力をかけたことで口部２２が壊れてしまうことを防止する。
【００２０】
更に、本考案の円弧凸面２４は円弧状で、一般的に知られている円弧凸面２４の主な効果とは、口部２２でネジ固定部品３３を回転させる時、該円弧凸面２４と六角ナット４０の一切面４１が相互に押さえられるため、六角ナット４０が滑ってしまう現象が防止される。故に、本考案者は、円弧凸面２４を十二個設計し、その各円弧凸面２４をナット４０の各切面に対応させることで、六角ナット４０切面４１を正確に押さえる効果を達成し、六角ナット４０と口部２２が回転過程で完全に押さえられたことで、六角ナット４０のすべり現象を防止した。具体的には、各二個の円弧凸面２４，２４を六角ナット４０の一切面４１に対応させる。この他、六角ナット４０の切面４１は六角ナット４０の受力が最大となる箇所であるため、円弧凸面２４が円弧外型となり、六角ナット４０の切面４１の回転過程において最大の力を受ける箇所となって、六角ナット４０の切面４１が崩れてしまうのを防止し、六角ナット４０の切面４１と柔性の押さえを達成し、六角ナット４０の切面４１構造が破壊されるのを防止する。本考案実施例における円弧凸面２４の良好な長さと幅の比率例は、１対１.６であり、円弧凸面２４と六角ナット４０切面４１が完全に押さえられることによって、六角ナット４０の滑りを有効に防止する。
【００２１】
図５に示すのは、本考案の第二実施例であり、更にソケットレンチ５０を含む。そのうち該ソケットレンチ５０上端には嵌合部５１を配設し、またソケットレンチ５０下端には上述第一実施例における本体１０の口部２２に配置したものと同じ外観のカバー部５２が配設される。該カバー部５２の複数個の収容凹部５２１及び複数個の円弧凸面５２２は口部２２と同じ配置で形成される。そのうち、ソケットレンチ５０の嵌合部５１の中間には方形の貫通した穿孔５３が貫設され、嵌合部５１の外縁にはラチェット部品２０の口部２２に対応する凹口５４及び凸面５５が形成され、該ソケットレンチ５０の嵌合部５１を上述の本体１０の口部２２に嵌合することで、該ソケットレンチ５０を本体１０に固定する（図６参照）。更にソケットレンチ５０の下端のカバー部５２を六角ナット４０に嵌めることで、上述の良好な第一の実施例と同じく回転させる効果を達成する。
【００２２】
図７に示すのは、本考案の第二実施例の変形例であり、ソケットレンチ５０上端には外縁に凹口５４及び凸面５５を備えた嵌合部５１を形成し、また内縁には図５の第二実施例と同様に方形の貫通した穿孔５３を形成し、下端に図５の第二実施例とは別の変形例として六角形の回転部５６を形成する。
【００２３】
図８に示すのは、本考案の第三実施例であり、ソケットレンチ５０Ａは、一端に一般のＤヘッドレンチ（図未提示）を嵌める穿孔５３Ａを配設し、別一端の内縁は第二実施例と同様にカバー部５２Ａを配設する。該カバー部５２Ａの複数個の収容凹部５２１Ａ及び複数個の円弧凸面５２２Ａは、第一実施例における口部２２に配置したものと同様であり、一般のＤヘッドレンチがカバー部５２Ａによって更に良好な効率を達成する。
【００２４】
上述から分かるとおり、本考案は公知技術が改善され、効果をより高め、且つ当該技術の習熟者でも思い浮かぶものではない。更に本考案は公開されたことがなく、また本考案は進歩性、実用性を備え、実用新案の請求要件に符合する。
【００２５】
以上の実施例は、本考案の技術思想及び特徴を説明したもので、その目的は当技術に習熟したものに本考案の内容を理解させ、実施できるようにするためであるが、それは本考案の請求範囲を限定するものではなく、本考案の精神に基づいた変形もしくは修飾はすべて本考案の請求範囲に属するものとする。
【符号の説明】
【００２６】
１０        本体
１２        ハンドル
１４        頭部
１５        掛合部
１６        収容部
１７        止め輪
１８        穿孔
２０        ラチェット部品
２１        歯部
２２        口部
２３        収容凹部
２４        円弧凸面
２５        外縁角
３０        停止部品
３１        停止部材
３２        バネ
３３        ネジ固定部品
４０        六角ナット
４１        切面
５０        ソケットレンチ
５０Ａ      ソケットレンチ
５１        嵌合部
５２        カバー部
５２Ａ      カバー部
５２１        収容凹部
５２１Ａ      収容凹部
５２２        円弧凸面
５２２Ａ      円弧凸面
５３        穿孔
５３Ａ      穿孔
５４        凹口
５５        凸面
５６        回転部
【図１】
0003155322.tif 000003
【図２】
0003155322.tif 000004
【図３】
0003155322.tif 000005
【図４】
0003155322.tif 000006
【図５】
0003155322.tif 000007
【図６】
0003155322.tif 000008
【図７】
0003155322.tif 000009
【図８】
0003155322.tif 000010
【図９】
0003155322.tif 000011